(57)【要約】【課題】浮き袋類等の空気封入体における空気を抜く作業時間を短縮することができる空気抜き器具であって、構造がシンプルで部品点数が少なく、かつ、どんな径の空気注入孔であっても対応可能な空気抜き器具を提供すること。【解決手段】本発明の空気抜き器具１は、浮き袋類等の空気封入体６に形成された逆止弁７付きの空気注入孔４に差し込んで空気抜きを行なうものであり、２つの縦割り円筒体２の間に軸方向と垂直に棒状の弾性部材３を介在させ、前記２つの縦割り円筒体２を連結する構成を採用し、構造が簡単で空気抜きの作業時間が短縮でき、また異なる径の空気注入孔４でも問題なく利用することができる。【選択図】図１
2007263195.tif 000002
【特許請求の範囲】
【請求項１】
浮き袋類等の空気封入体に形成された逆止弁付きの空気注入孔に差し込んで空気抜きを行なう空気抜き器具であって、２つの縦割り円筒体の間に軸方向と垂直に棒状の弾性部材を介在させ、前記２つの縦割り円筒体を連結することを特徴とする空気抜き器具。
【請求項２】
前記棒状の弾性部材がバネであることを特徴とする請求項１に記載の空気抜き器具。
【発明の詳細な説明】
【技術分野】
【０００１】
本発明は、浮き袋類等の空気封入体に形成された逆止弁付きの空気注入孔に差し込んで空気抜きを行なう空気抜き器具に関する。
【背景技術】
【０００２】
海水浴やプール等で使用される浮き袋類には、空気を出し入れするための空気注入孔が形成されており、通常、この空気注入孔の内部には、注入した空気が逆流しないよう逆止弁が付いている。このため、浮き袋類に空気を入れて膨らました後、浮き袋類等の使用後に空気を抜く際は、空気注入孔を摘んで逆止弁を変形させて隙間を作りながら、浮き袋類等を手で押して空気注入孔から空気を抜く必要がある。
【０００３】
前記浮き袋類は、逆止弁が空気の排出を妨げるため、使用時に浮き袋類から空気が漏れることを抑制される反面、空気を抜く際にはこの逆止弁の存在により空気を効率よく抜くことができず、作業に手間がかかり、特に子供や老人等は大人と比べて力が弱いこともあり、浮き袋類等内の空気を完全に抜き切ることが困難であるという問題が生じていた。一方、これに対処すべく、器具本体の差込み端側部分の側壁に吸気口を設けると共に、該器具本体の排気口端側部分を拡径させた構成のパイプ状の空気抜き器具が提供されていた（例えば、特許文献１参照）。
【０００４】
【特許文献１】特開２００４−２３９３６８号公報（［特許請求の範囲］，［図１］，［図２］）
【発明の開示】
【発明が解決しようとする課題】
【０００５】
前記特許文献１に開示されているパイプ状の空気抜き器具は、これは浮き袋類等の逆止弁付き空気注入孔に、中空円筒状の補助具を差し込んだ後、さらに、この補助具の中に中空円筒状の器具本体を差し込んで浮き袋類等内の空気を抜くような構造になっているが、このような構成では部品が比較的多数となることにより、部品を紛失してしまう可能性もあり、また、コストが割高になるという問題があった。そして、このパイプ状の空気抜き器具の径は一定であるため、径の異なる空気注入孔には対応出来ないという問題もあった。
【０００６】
本発明は上記課題に鑑みなされたもので、浮き袋類等の空気封入体における空気を抜く作業時間を短縮することができる空気抜き器具であって、構造がシンプルで部品点数が少なく、かつ、どんな径の空気注入孔であっても対応可能な空気抜き器具を提供することを目的とする。
【課題を解決するための手段】
【０００７】
この目的を達成するための本発明の請求項１に係る空気抜き器具は、浮き袋類等の空気封入体に形成された逆止弁付きの空気注入孔に差し込んで空気抜きを行なう空気抜き器具であって、２つの縦割り円筒体の間に軸方向と垂直に棒状の弾性部材を介在させ、前記２つの縦割り円筒体を連結することを特徴とする。
【０００８】
本発明の請求項２に係る空気抜き器具は、前記請求項１において、前記棒状の弾性部材がバネであることを特徴とする。
【発明の効果】
【０００９】
本発明の請求項１の空気抜き器具は、２つの縦割り円筒体の間に軸方向と垂直に棒状の弾性部材を介在させ、当該弾性部材が２つの縦割り円筒体を連結する構成からなるので、構造が簡単で空気抜きの作業時間が短縮でき、また異なる径の空気注入孔でも利用することができるという優れた効果を有する。また、２つの縦割り円筒体を軸方向と垂直に固定された棒状の弾性部材により、異なる径の空気注入孔でも弾性部材の弾性力で縦割り円筒体を空気注入孔壁面に押し当てることができ、確実に空気を抜くことが可能となる。
【００１０】
また、本発明の請求項２の空気抜き器具は、前記請求項１において、２つの縦割り円筒体を軸方向と垂直に固定された前記棒状の弾性部材をバネとすることにより、異なる径の空気注入孔でもバネの弾性力で縦割り円筒体を空気注入孔壁面に押し当てることができ、確実に空気を抜くことが可能となる。
【発明を実施するための最良の形態】
【００１１】
本発明の空気抜き器具の一実施形態について、図面に基づいて説明する。
図１は、本発明に係る空気抜き器具の使用状態を一部破断して示す斜視図である。また、図２は、空気抜き器具の分解斜視図、図３はバネ（弾性部材）に力を加えない開放状態の空気抜き器具を示した斜視図、をそれぞれ示した図である。図１、図２、図３中の１は空気抜き器具、２は２つの縦割り円筒体（縦割り円筒体２Ａ、２Ｂ）、２１はフランジ、３は弾性部材であるバネ、４は空気注入孔、４１は突出周囲部、５は空気栓、６は空気封入体である浮き袋、７は逆止弁をそれぞれ示す。
【００１２】
図１において、ドーナツ型のビニール製浮き袋６の胴体には、円筒形状の空気注入孔４が形成されている。また、空気注入孔４の内部には、当該空気注入孔４を気密に施蓋する空気栓５が配設されている。また、空気注入孔４の基端側には逆止弁７が設けられている。この逆止弁７により、浮き袋６に空気を入れる際、入れた空気が浮き袋６の外に漏れるのを防ぐ構造になっている。
【００１３】
浮き袋６の空気を抜く際使用される空気抜き器具１は、２つの縦割り円筒体２Ａ、２Ｂで形成されている。また、空気抜き器具１の図１における上端側は、フランジ２１が形成され、空気注入孔４の突出周囲部４１に引っかかるようになっている。
【００１４】
縦割り円筒体２は、２つでセットになって空気抜き器具１を構成している。縦割り円筒体２の構成材料としては、例えば、プラスチックを使用することができるが、ステンレスなどの金属材料で構成することも可能である。
【００１５】
本実施例では、縦割り円筒体２の上端部にフランジ２１を形成しているので、空気抜き器具１の空気注入孔４への脱着操作が容易になる。また、空気注入孔４に差し込む際、空気注入孔４内に必要以上に入り込むことがない。
【００１６】
縦割り円筒体２下部の片側の長さを変えることにより、空気を空気抜き器具１内により送り込み易くすることができる。
【００１７】
２つの縦割り円筒体２の間には、軸方向と垂直に弾性部材であるバネ３が介在され、このバネ３が２つの縦割り円筒体２Ａ，２Ｂを連結して両者を固定している。２つの縦割り円筒体２Ａ，２Ｂの内側向きに力を入れ、バネ３に力を加えた状態では、弾性部材３が縮まり、空気抜き器具１の外径（図１のｒ、以下同じ。）は空気注入孔４の内径より小さくなり、空気抜き器具１が空気注入孔４に挿入可能となる。一方、図３は、バネ（弾性部材）３に力を加えない開放状態の空気抜き器具を示した斜視図であり、この状態では、バネ３も縮まらない通常の形状となり、空気抜き器具１の外径は空気注入孔４の内径よりやや大きくなる。これにより、空気抜き器具１を空気注入孔４に挿入すると、縦割り円筒体２の外壁が空気注入孔４の壁面に押し当たることになり、空気抜き器具１を固定することができる。ここで、バネ３に力を加えない開放状態にあっては、空気抜き器具１の外径が空気注入孔４の内径より２〜４ｍｍ大きいことが好ましく、３〜４ｍｍ大きいことが特に好ましい。例えば、市販されている浮き袋類の空気注入孔の内径は５〜６ｍｍであるので、空気抜き器具１の外径は８〜９ｍｍ程度が望ましいが、これには限定されない。
【００１８】
本発明の空気抜き器具１は、バネ３の弾性力で、縦割り円筒体２を空気注入孔４の壁面に押し当て、空気抜き器具１を固定することができ、様々な空気注入孔４の径でも対応が可能になる。また、棒状の弾性部材３は、バネと同様の弾性力を持つ部材、例えば、棒状のゴムのようなものなどでも代用が可能である。
【００１９】
本実施形態に係る空気抜き器具１を使用するには、図１に示すように、２つの縦割り円筒体２（縦割り円筒体２Ａ，２Ｂ）間と、この縦割り円筒体２の間に軸方向垂直に固定されている棒状の弾性部材（バネ３）を指で縮めて、浮き袋６の逆止弁７付きの空気注入孔４に差し込んで、逆止弁７に空気抜き器具１の先端を接触させ、逆止弁７を開放状態とすることにより、浮き袋６内の空気を抜くようにすればよい。
【００２０】
本実施例による空気抜き器具１では、従来の器具に比べ、浮き袋６内の空気を抜く際の排気効率が著しく向上する。その結果、浮き袋６内の空気を抜く際の作業時間が大幅に短縮できる。さらに、空気抜き器具１は軽量な小型であり、単体での使用なので部品の紛失の可能性も減少できる。このため、海水浴等で使用する場合にも携帯でき、子供等のように力が弱くても簡単に扱うことが可能である。
【００２１】
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。本発明は前記した各実施形態に限定されるものではなく、本発明の目的を達成できる範囲での変形や改良は、本発明に含まれるものである。
【００２２】
今回、空気を空気抜き器具１内に送り込み易くするために、縦割り円筒体２下部の片側の長さを変えているが、図４に示すように縦割り円筒体２に吸気部８を形成して、同様の効果を得てもよい。図４は、本発明に係る空気抜き器具１の他の実施形態を示した図であり、縦割り円筒体２の下部に矩形状の孔からなる吸気部８を形成した状態を示している。なお、図４では、バネ（弾性部材）３は省略している。
【００２３】
その他、本発明の実施の際、具体的な構造及び形状等は、本発明の目的を達成できる範囲で他の構造等としてもよい。
【産業上の利用可能性】
【００２４】
本発明の空気抜き器具は、例えば、海水浴場やプールなどの浮き袋類を使用する施設などで使用することができる。
【図面の簡単な説明】
【００２５】
【図１】本発明に係る空気抜き器具の使用状態を一部破断して示す斜視図である。
【図２】本発明に係る空気抜き器具の一実施形態を示した分解斜視図である。
【図３】バネ３に力を加えない開放状態の空気抜き器具を示した斜視図である。
【図４】本発明に係る空気抜き器具の他の実施形態を示した図である。
【符号の説明】
【００２６】
１    空気抜き器具
２    縦割り円筒体
２Ａ  縦割り円筒体１
２Ｂ  縦割り円筒体２
２１  フランジ
３    弾性部材（バネ）
４    空気注入孔
４１  突出周囲部
５    空気栓
６    浮き袋（空気封入体）
７    逆止弁
８    吸気部
【図１】
2007263195.tif 000003
【図２】
2007263195.tif 000004
【図３】
2007263195.tif 000005
【図４】
2007263195.tif 000006